(57)【要約】【課題】  外観品質を高く維持しつつ自然石を支持構造体として更に有効に利用し得る建物用基礎構造を提供することである。【解決手段】  地中に埋設されるベース部１１０ａと、ベース部１１０ａから立設され、上方部が地表に露出する垂直壁部１１０ｂと、垂直壁部１１０ｂの外側面の上端からベース部１１０ａに至る範囲に貼付され、自然石にて形成された外装壁部（１２０ａ，１２０ｂ）と、垂直壁部１１０ｂ及び外装壁部１２０ａの上端面に貼付され、自然石にて形成された土台支持部１２２とを有する構成となる。【選択図】  図１
2005188169.tif 000002
【特許請求の範囲】
【請求項１】
地中に埋設されるベース部と、
該ベース部から立設され、上方部が地表に露出する垂直壁部と、
該垂直壁部の外側面の上端から前記ベース部に至る範囲に貼付され、自然石にて形成された外装壁部と、
前記垂直壁部及び外装壁部の上端面に貼付され、自然石にて形成された土台支持部とを有することを特徴とする建物用基礎構造。
【請求項２】
前記土台支持部は、前記外装壁部の上端縁から突出した構造となることを特徴とする請求項１記載の建物用基礎構造。
【請求項３】
前記土台支持部は、外側角部に形成された雨切りを有することを特徴とする請求項１または２記載の建物用基礎構造。
【請求項４】
前記土台支持部は、前記雨切りに続き、前記外装部の上端縁から突出した突出部を有することを特徴とする請求項３記載の建物用基礎構造。
【請求項５】
前記外装壁部は、垂直方向において複数の部分外装壁部に分割されていることを特徴とする請求項１乃至４のいずれかに記載の建物用基礎構造。
【請求項６】
前記外装壁部は、地表から露出する第一の部分外装壁部と、該第一の部分外装壁部の下端から前記ベース部に至る第二の部分外装壁部とを有することを特徴とする請求項５記載の建物用基礎構造。
【請求項７】
地表から露出する部分外装壁部を形成する自然石の外観品質は、地中に埋設される部分外装壁部を形成する自然石の外観品質より高いことを特徴とする請求項５または６記載の建物用基礎構造。
【請求項８】
前記外装壁部は硬石に属する種類の自然石にて構成されたことを特徴とする請求項１乃至７のいずれかに記載の建物用基礎構造。
【請求項９】
前記ベース部及び垂直壁部は、コンクリートにて一体的に形成されたことを特徴とする請求項１乃至８のいずれかに記載の建物用基礎構造。
【発明の詳細な説明】
【技術分野】
【０００１】
本発明は、木造住宅等の建物用基礎構造に係り、詳しくは、自然石を利用した建物用基礎構造に関する。
【背景技術】
【０００２】
従来、自然石を利用した建物用基礎構造が提案されている（例えば、特許文献１参照）。この従来の建物用基礎構造は、図４に示すように、地中に砕石３ａを敷設して形成された地盤３上にて支持されるベース部１０と、下端２０ａ側が地中に埋設され上端２０ｂに木材からなる土台２１が設けられる垂直壁部２０とを備えている。ベース部１０はコンクリートにて形成され、垂直壁部２０は花崗岩（御影石）等の自然石を加工して得られる自然石ブロックＢを多数連設して（図面垂直方向に）形成されている。ベース部１０の上側中央部には、長手方向（図面垂直方向）に沿って嵌合溝１３が形成され、この嵌合溝１３に垂直壁部２０の下端２０ａが嵌合することにより、垂直壁部２０がベース部１０から立設した構造となる。
【０００３】
垂直壁部２０には垂直方向に貫通孔２３が形成され、ベース部１０には嵌合溝１３から突出するスタッドボルト１１が立設されている。そして、垂直壁部２０がベース部１０の嵌合溝１３に嵌合された状態で、スタッドボルト１１が垂直壁部２０の貫通孔２３を貫通するようになっている。垂直壁部２０を貫通するスタッドボルト１１は垂直壁部２０の上端面にて支持される材木製の土台２１をも貫通し、スタッドボルト１１にナット１２を締結するより土台２１が垂直壁部２０に固定される。尚、コンクリートにて形成されたベース部１０には、補強用の鉄筋１４及び１５が埋設されている。
【０００４】
また、垂直壁部２０の外側面２２には、その外側面２２の地表に露出した部分を被うように化粧プレート４０がアンカボルト４１にて固定されている。この化粧プレート４０は、垂直壁部２０を形成する自然石ブロックＢよりも高価な（外観品質の高い）自然石材料にて形成される。
このような従来の建物用基礎構造によれば、土台２１にかかる荷重が垂直壁部２０，ベース部１０及び地盤３によって確実に支持されると共に、垂直壁部２０の外側面２２の地表から露出する部分が化粧プレート４０にて覆われることから、その外観品質が向上し、高級感のある建物用基礎を実現することができる。
【０００５】
【特許文献１】特開２００３−１９３４８３号公報
【発明の開示】
【発明が解決しようとする課題】
【０００６】
ところで、前述した従来の建物用基礎構造では、自然石にて形成された化粧プレート４０は、垂直壁部２０の外側面２２の地表から露出する部分を被うだけで土台２１の支持に対して何ら寄与していない。風化がし難く、強度も通常のコンクリートよりも大きい自然石を建物用基礎の構造体として必ずしも有効に利用しているものではない。
【０００７】
本発明は、上述した観点に鑑みてなされたもので、外観品質を高く維持しつつ自然石を支持構造体として更に有効に利用し得る建物用基礎構造を提供するものである。
【課題を解決するための手段】
【０００８】
本発明に係る建物用基礎構造は、地中に埋設されるベース部と、該ベース部から立設され、上方部が地表に露出する垂直壁部と、該垂直壁部の外側面の上端から前記ベース部に至る範囲に貼付され、自然石にて形成された外装壁部と、前記垂直壁部及び外装壁部の上端面に貼付され、自然石にて形成された土台支持部とを有する構成となる。
【０００９】
このような構成によれば、建物用土台が自然石にて形成された土台支持部にて支持されると、その荷重は、その土台支持部から垂直壁部と自然石にて形成された外装壁部とに分散してかかり、その分散した荷重がベース部にて受けられこととなる。また、垂直壁部の外側面に貼付される自然石にて形成された外装壁部によって、垂直壁部の外観品質に係わらず建物用基礎の外観的品質が高く保持され得る。
【００１０】
また、本発明に係る建物用基礎構造は、前記土台支持部が、前記外装壁部の上端縁から突出した構造となる構成とすることができる。
このような構成によれば、土台支持部を伝ってきた雨水が外装壁部の上端縁から突出した土台支持部の先端から滴下することになるので、外装壁部への雨水の滴下を防止することができ、支持構造体としての外装壁部の耐久性を損なうことを防止することができる。
更に、本発明に係る建物用基礎構造は、前記土台支持部が、外側角部に形成された雨切りを有する構成とすることができる。
このような構成により、土台支持部を伝う雨水を雨切りにてスムーズに流すことが可能になると共に、雨切りの形状にてその外観品質も向上させることが可能となる。
【００１１】
また、本発明に係る建物用基礎構造は、前記土台支持部が、前記雨切りに続き、前記外装部の上端縁から突出した突出部を有する構成とすることができる。
このような構成により、土台支持部を伝う雨水を雨切りにてスムーズに流すことが可能になると共に、その雨水が外装壁部の上端縁から突出した突出部の先端から滴下することになるので、外装壁部への雨水の滴下を防止することができるようになる。
【００１２】
本発明における建物用基礎構造は、前記外装壁部が、垂直方向において複数の部分外装壁部に分割されている構成とすることができる。
このような構成により、外観品質を重視すべき部分の部分外装壁部の外観品質を他の部分外装壁部の外観品質より高くすることができ、外装壁部を支持構造体として有効に利用しつつ、より少ないコストにて建物用基礎の外観品質を向上させることができるようになる。
【００１３】
また、本発明に係る建物用基礎構造は、前記外装壁部が、地表から露出する第一の部分外装壁部と、該第一の部分外装壁部の下端から前記ベース部に至る第二の部分外装壁部とを有する構成とすることができる。
このような構成により、第一の部分外装壁部の外観品質を第二の部分外装壁部の外観品質より高くすることにより、外装壁部を支持構造体として有効に利用しつつ、より少ないコストにて建物用基礎の外観品質を向上させることができるようになる。
【００１４】
更に、本発明に係る建物用基礎構造は、地表から露出する部分外装壁部を形成する自然石の外観品質は、地中に埋設される部分外装壁部を形成する自然石の外観品質より高いものとすることができる。
このような構成により、地表から露出する部分外装壁部の外観品質が地中に埋設される部分外装壁部の外観品質より高くなるので、外装壁部を支持構造体として有効に利用しつつ、より少ないコストにて建物用基礎の外観品質を向上させることができる。
【００１５】
本発明に係る建物用基礎構造は、前記外装壁部が硬石に属する種類の自然石にて構成されたものとすることができる。
このような構成により、外装壁部及び土台支持部が支持構造体としてより信頼性の高いものとすることができる。自然石の種類としての硬石は、例えば、ＪＩＳ規格により定められる。
【００１６】
また、本発明に係る建物用基礎構造は、前記ベース部及び垂直壁部が、コンクリートにて一体的に形成された構成とすることができる。
このような構成により、ベース部及び垂直壁部が自然石に比べて安価なコンクリートにて形成されるので、外装壁部にて建物用基礎の外観品質を高く維持しつつ、建物用基礎全体の材料コストの低減を図ることができる。
【発明の効果】
【００１７】
本発明に係る建物用基礎構造によれば、垂直壁部の外側面に自然石にて形成された外装壁部が貼付され、かつ、土台にかかる荷重が自然石にて形成された土台支持部から垂直壁部と自然石にて形成された外装壁部に分散してかかるので、外観品質を高く維持しつつ自然石を支持構造体として更に有効に利用し得る建物用基礎構造を実現することができるようになる。
【発明を実施するための最良の形態】
【００１８】
以下、本発明の実施の形態について、図面を用いて説明する。
本発明の実施の一形態に係る建物用基礎構造は、図１に示すように構成される。
【００１９】
図１において、予め地面Ｇに形成された凹所に砕石を敷設してなる地盤１０１上に型枠を立設して鉄筋１１１〜１１６を組んでコンクリートを流し込み、そのコンクリートを固化させることによりベース部１１０ａが形成され、更に、そのベース部１１０ａ上に型枠を立設してコンクリートを流し込み、そのコンクリートを固化させることにより垂直壁部１１０ｂが形成される。なお、鉄筋１１１〜１１６の組み込みと共に垂直方向に伸びる所定長の複数のスタッドボルト１１７が垂直壁部１１０ｂの長さ方向（図面垂直方向）に適宜間隔にて設置されており、各スタッドボルト１１７が垂直壁部１１０ｂの上端面から突出している。
【００２０】
その後、それぞれ花崗岩（御影石）等の自然石にて形成されたブロック板状の第一の部分外装壁部１２０ａと第二の部分外装壁部１２０ｂとが垂直壁部１１０ｂの外側面に接着性及びシール性の高いコーキング剤にて貼付される。第二の部分外装壁部１２０ｂは、ベース部１１０ａ表面から地面Ｇに至る手前の所定高さを有し、第一の部分外装壁部１２０ａは、その下端が第二の部分外装壁部１２０ｂに当接すると共に、垂直壁部１１０ｂの上端に達する高さを有する。そして、第一の部分外装壁部１２０ａの上端面と垂直壁部１１０ｂの上端面とが略同一平面内に位置するように加工される（切削加工等）。
【００２１】
第一の部分外装壁部１２０ａ及び垂直壁部１１０ｂの双方の上端面にわたって花崗岩（御影石）等の自然石にて形成された概略直方体となる土台支持部１２２がコーキング剤にて貼付される。垂直壁部１１０ｂから突出した各スタッドボルト１１７は、土台支持部１２２に形成された貫通孔（図示せず）を貫通して土台支持部１１２から突出する。土台支持部１２２の詳細構造は、図３に示すように、上面１２２ａから外側角部に僅かに段１２２ｂが付けられ、その段１２２ｂの下端から凸状湾曲面となる雨切り１２２ｃが形成されている。雨切り１２２ｃの下端には、第一の部分外装壁部１２０ａの上端縁から突出する突出部１２２ｄが形成されている。
【００２２】
このようにしてベース部１１０ａ，垂直壁部１１０ｂ，第一の部分外装壁部１２０ａ，第二の部分外装壁部１２０ｂ及び土台支持部１２２が一体化された後に、地面Ｇに形成された凹所が土にて埋め戻される。その結果、地中に埋設されるベース部１１０ａと、ベース部１１０ａから立設され、上部が地表に露出する垂直壁部１１０ｂと、垂直壁部１１０ｂの外側面の上端からベース部１１０ａの表面に至る範囲に貼付され、自然石にて形成された外装壁部（第一の部分外装壁部１２０ａ及び第二の部分外装壁部１２０ｂ）と、垂直壁部１１０ｂ及び外装壁部（第一の部分外装壁部１２０ａ）の上面にわたって貼付され、自然石にて形成された土台支持部１２２とを備えた建物用基礎が完成する。
【００２３】
このような構造の建物用基礎では、土台支持部１２２の上面に材木製の土台１３０が設置される。土台支持部１２２から突出する各スタッドボルト１１７が土台１３０に形成された貫通孔（図示せず）を貫通し、各スタッドボルト１１７にナット１１８を締結することにより、土台１３０が土台支持部１２２に締付け固定される。このような構造では、土台１３０上に建造される建物による荷重は、土台１３０から土台支持部１２２にかかり、更に、その荷重は土台支持部１２２から第一の部分外装壁部１２０ａ及び第二の部分外装壁部１２０ｂにて構成される外装壁部と垂直壁部１１０ｂとに分散してかかり、その分散した各荷重がベース部１１０ａにて受けられることとなる。
【００２４】
このように、自然石にて形成された土台支持部１２２，第一の部分外装壁部１２０ａ及び第二の部分外装壁部１２０ｂは建物の荷重を支持する構造体として機能する。また、地表に露出している第一の部分外装壁部１２０ａ及び土台支持部１２２が自然石にて形成されているので、建物用基礎の外観品質も高いものとなる。従って、外観品質を高く維持しつつ自然石を支持構造体として有効に利用した建物用基礎構造が実現される。また、垂直壁部１１０ｂがベース部１１０ａと一体となったコンクリートにて形成されることから、垂直壁部１１０ｂ全体を自然石にて形成して外観品質を向上させる場合に比べて建物用基礎全体の材料コストの低減を図ることができる。
【００２５】
地中に埋設される第二の部分外装壁部１２０ｂを形成する自然石は、第一の部分外装壁部１２０ａを形成する自然石の外観品質より劣るものを用いることができる。このようにすれば、建物用基礎の外観品質を高く維持しつつコストの低減を図ることができる。
【００２６】
また、土台支持部１２２には、図２に示すように、その外側角部に雨切り１２２ｃが形成されていることから、土台１３０から伝ってきた雨水（図２における破線参照）をスムーズに流すことができると共に、その雨切り１２２ｃの形状により外観品質を向上させることができるようになる。更に、雨切り１２２ｃの下端に突出部１２２ｄが形成されているので、雨切り１２２ｃを伝って流れてきた雨水が突出部１２２ｄの先端から滴下することとなり、第一の部分外装壁部１２０ａへの雨水の滴下を防止することができ、支持構造体としての第一の部分外装壁部１２０ａの雨水による侵食を防止することができる。
【００２７】
支持構造体として機能する第一の部分外装壁部１２０ａ及び第二の部分外装壁部１２０ｂは、土台支持部１２２と共に、図３に示す硬石の種類に属する自然石にて形成することが好ましい。
【００２８】
このように第一の部分外装壁部１２０ａ及び第二の部分外装壁部１２０ｂを硬石の種類に属する自然石にて形成することにより、耐久性が高く、水による侵食性の低い建物用基礎を構築することが可能となり、より信頼性の高い建物用基礎を実現することができる。
【００２９】
尚、前述した実施の形態では、垂直壁部１１０ｂの外側面には垂直方向に連続する第一の部分外装壁部１２０ａ及び第二の部分外装壁部１２０ｂが貼付された構造となっていたが、垂直方向に分割されることない１枚の外装壁（自然石にて形成される）を垂直壁部１１０ｂに貼付することも、垂直方向に更に分割された３枚以上の部分外装壁部（自然石にて形成される）を垂直壁部１１０ｂに貼付することも可能である。
【産業上の利用可能性】
【００３０】
以上、説明したように、本発明に係る建物用基礎構造は、外観品質を高く維持しつつ自然石を支持構造体として更に有効に利用し得る建物用基礎構造となるので、木造住宅等の建物用基礎構造として有用なものとなる。
【図面の簡単な説明】
【００３１】
【図１】本発明の実施の一形態に係る建物用基礎構造を示す断面図である。
【図２】土台支持部の外側角部の詳細な構造を示す断面図である。
【図３】石の種類と圧縮強さとの関係を示す表図である。
【図４】従来の建物用基礎構造の一例を示す断面図である。
【符号の説明】
【００３２】
１０１  地盤
１１０ａ  ベース部
１１０ｂ  垂直壁部
１１１，１１２，１１３，１１４，１１５，１１６  鉄筋
１１７  スタッドボルト
１１８  ナット
１２０ａ  第一の部分外装壁部
１２０ｂ  第二の部分外装壁部
１２２  土台支持部
１３０  土台
【図１】
2005188169.tif 000003
【図２】
2005188169.tif 000004
【図３】
2005188169.tif 000005
【図４】
2005188169.tif 000006